(57)【要約】【課題】１つの操作キーに対して２つの動作を割り当てたい要望を満たしつつも、コンテンツ再生装置により実行される動作がユーザの所望する動作と異なり混乱を招く場合があるという問題を解決することが可能な「コンテンツ再生装置および操作キー割り当て方法」を提供する。【解決手段】記録媒体１４０に記録されたコンテンツが、キーイベントの発行によって再生制御が行われる方式のコンテンツであるか判定し、肯定判定した場合、コンテンツを再生する場合に実行可能な２つの動作を２つの操作キーに割り当てる一方、否定判定した場合、当該２つの動作を１つの操作キーに割り当てることにより、記録媒体１４０に記録されたコンテンツがキーイベントの発行によって再生制御が行われる方式のコンテンツである場合に限って、コンテンツを再生する場合に実行可能な２つの動作が２つの操作キーにそれぞれ割り当てられるようにする。【選択図】図１
2011248970.tif 000002
【特許請求の範囲】
【請求項１】
記録媒体に記録されたコンテンツが、ユーザ操作に対応するキーイベントの発行によって再生制御が行われる方式のコンテンツであるか否かについて判定するコンテンツ判定部と、
前記コンテンツ判定部により前記キーイベントの発行によって再生制御が行われる方式のコンテンツであると判定された場合、前記コンテンツを再生する場合に実行可能な第１の動作および第２の動作を２つの操作キーにそれぞれ割り当てる一方、前記判定部により前記キーイベントの発行によって再生制御が行われる方式のコンテンツでないと判定された場合、前記第１の動作および第２の動作を１つの操作キーに割り当てるように制御する操作キー割り当て制御部とを備えたことを特徴とするコンテンツ再生装置。
【請求項２】
請求項１に記載のコンテンツ再生装置において、
前記操作キーはソフトウェアキーであり、
前記操作キー割り当て制御部は、前記コンテンツ判定部により前記キーイベントの発行によって再生制御が行われる方式のコンテンツであると判定された場合、前記第１の動作および第２の動作を第１の操作キーおよび第２の操作キーにそれぞれ割り当てるとともに、前記第１の操作キーおよび前記第２の操作キーを表示画面に表示するように制御する一方、前記コンテンツ判定部により前記キーイベントの発行によって再生制御が行われる方式のコンテンツでないと判定された場合、前記第１の動作および第２の動作を第３の操作キーに割り当てるとともに、前記第３の操作キーを前記第１の操作キーおよび前記第２の操作キーよりも大きく前記表示画面に表示するように制御することを特徴とするコンテンツ再生装置。
【請求項３】
請求項１に記載のコンテンツ再生装置において、
前記操作キーはハードウェアキーであり、
前記操作キー割り当て制御部は、前記コンテンツ判定部により前記キーイベントの発行によって再生制御が行われる方式のコンテンツであると判定された場合、前記第１の動作および前記第２の動作を第４の操作キーおよび、前記コンテンツを再生する際に未使用の第５の操作キーにそれぞれ割り当てるように制御する一方、前記コンテンツ判定部により前記キーイベントの発行によって再生制御が行われる方式のコンテンツでないと判定された場合、前記第１の動作および第２の動作を前記第４の操作キーに割り当てるように制御することを特徴とするコンテンツ再生装置。
【請求項４】
請求項３に記載のコンテンツ再生装置において、
前記操作キー割り当て制御部により前記第２の動作が割り当てられた前記第５の操作キーを特定する特定情報を表示画面に表示するように制御する特定情報表示制御部とを更に備えたことを特徴とするコンテンツ再生装置。
【請求項５】
記録媒体に記録されたコンテンツが、ユーザ操作に対応するキーイベントの発行によって再生制御が行われる方式のコンテンツであるか否かについて判定するコンテンツ第１のステップと、
前記第１のステップによりにより前記キーイベントの発行によって再生制御が行われる方式のコンテンツであると判定された場合、前記コンテンツを再生する場合に実行可能な第１の動作および第２の動作を２つの操作キーにそれぞれ割り当てるように制御する第２のステップと、
前記第１のステップにより前記キーイベントの発行によって再生制御が行われる方式のコンテンツでないと判定された場合、前記第１の動作および第２の動作を１つの操作キーに割り当てるように制御する第３のステップとを有することを特徴とする操作キー割り当て方法。
【発明の詳細な説明】
【技術分野】
【０００１】
本発明は、コンテンツ再生装置および操作キー割り当て方法に関し、例えば、光ディスクの規格であるブルーレイディスク（Ｂｌｕ−ｒａｙ  Ｄｉｓｃ：登録商標）に記録されたコンテンツを再生するコンテンツ再生装置に用いて好適なものである。
【背景技術】
【０００２】
近年、ブルーレイディスクに記録された映像データまたは音声データなどのコンテンツを再生するコンテンツ再生装置が普及してきている。ブルーレイディスクには、ＤＶＤ（Ｄｉｇｉｔａｌ  Ｖｅｒｓａｔｉｌｅ  Ｄｉｓｃ）におけるコンテンツの再生制御方式を拡張させたＨＤＭＶ（Ｈｉｇｈ  Ｄｅｆｉｎｉｔｉｏｎ  ＭｏＶｉｅ）タイトルと、コンテンツの再生制御をＪａｖａ（登録商標）言語で記述されたＪａｖａアプリケーションで行うことも可能なＢＤ−Ｊ（Ｂｌｕ−ｒａｙ  Ｄｉｓｃ  Ｊａｖａ）タイトルとがある。ＢＤ−Ｊタイトルには、ムービータイトル（Ｍｏｖｉｅ  Ｔｉｔｌｅ、以下「ＢＤ−Ｊムービータイトル」と称する）およびインタラクティブタイトル（Ｉｎｔｅｒａｃｔｉｖｅ  Ｔｉｔｌｅ以下「ＢＤ−Ｊインタラクティブタイトル」と称する）が存在する。なお、タイトルとはコンテンツの再生制御方式を示す。
【０００３】
ＨＤＭＶタイトルやＢＤ−Ｊムービータイトルでは、ユーザ操作（例えば、リモコンの操作キーを押下する操作など）が行われた場合、そのユーザ操作により押下されたキーを示すＵＯ（Ｕｓｅｒ  Ｏｐｅｒａｔｉｏｎ）が発行される。発行されたＵＯに対するコンテンツ再生装置の各動作は規格で規定されている。
【０００４】
例えば、コンテンツの非再生中に再生キーが操作された場合には、その再生キーを示すＵＯが発行される。このＵＯに対する動作としては、再生を実行する動作が規格で規定されている。そのため、コンテンツ再生装置は、ブルーレイディスクに記録されたコンテンツを再生する。また、コンテンツの再生中に再生キーが操作された場合にも、その再生キーを示すＵＯが発行されるが、コンテンツ再生中であるため、操作結果としては無効になり、コンテンツ再生がそのまま継続される。このＵＯに対する動作としては、再生動作でなく、一時停止動作が規格で規定されている。そのため、１つの操作キーを再生／一時停止キーとして、これに再生動作と一時停止動作とを割り当てることができる（例えば、特許文献１を参照）。また、これに限らず、コンテンツ再生中に行う動作（例えば、早送り動作や巻き戻し動作など）であれば、１つの操作キーに対して再生動作と併用割り当て可能である。
【０００５】
一方、ＢＤ−Ｊインタラクティブタイトルでは、ＨＤＭＶタイトルやＢＤ−Ｊムービータイトルとは異なり、ユーザ操作が行われた場合、そのユーザ操作により押下されたキーに対応するキーイベントが発行される。発行されたキーイベントに対するコンテンツ再生装置の各動作は規格で規定されていない。その代わり、コンテンツ提供業者は、キーイベントに対するコンテンツ再生装置の各動作についてＪａｖａアプリケーション内で自由に定義することができる（例えば、特許文献２を参照）。例えば、再生キーが操作された場合には、その再生キーに対応するキーイベント（ＶＫ＿ＰＬＡＹ）が発行される。コンテンツの再生中に発行されたキーイベント（ＶＫ＿ＰＬＡＹ）に対するコンテンツ再生装置の動作として、コンテンツを停止する動作がＪａｖａアプリケーション内で定義されていれば、コンテンツ再生装置は再生中のコンテンツを停止させる。
【０００６】
ＢＤ−Ｊインタラクティブタイトルでは、キーイベントに対する各動作を自由に定義することができるため、再生キーに対して、再生動作以外にも、一時停止動作、停止動作、早送り動作または早戻し動作などを割り当てることも可能である。よって、コンテンツを作成するコンテンツ提供業者次第で、再生キーに割り当てられる動作が変わる場合がある。そのため、１つの再生キーを再生／一時停止キーとして、再生動作と一時停止動作とを固定的に割り当てることはできない。
【０００７】
コンテンツ再生装置で再生するブルーレイディスクがＨＤＭＶタイトルまたはＢＤ−Ｊムービータイトルなら、１つの操作キーを再生／一時停止キーとして、再生動作と一時停止動作とを割り当てることができる。しかし、いつもこれらのタイトルを再生するとは限らず、ＢＤ−Ｊインタラクティブタイトルのコンテンツを再生することもある。その場合、１つの操作キーに対して２つの動作を割り当てていると、コンテンツ再生装置により実行される動作がユーザの所望する動作と異なり混乱を招く場合がある。それゆえ、ブルーレイディスクに記録されたコンテンツを再生する現在のコンテンツ再生装置では、１つの操作キーに対して１つの動作だけを割り当てるようにしている。
【先行技術文献】
【特許文献】
【０００８】
【特許文献１】特開平１０−２７５４０８号公報
【特許文献２】国際公開第２００５／３６５４７号
【発明の概要】
【発明が解決しようとする課題】
【０００９】
しかしながら、１つの操作キーに対して１つの動作だけを割り当てている現在のコンテンツ再生装置には次の問題がある。すなわち、画面上に表示された操作キー（ソフトウェアキー）を操作することによりコンテンツの再生制御を行う場合、画面上に表示される操作キーの数は多くなる。この場合、各操作キーの大きさをそれぞれ小さくする必要がある。しかし、操作キーが小さくなると指先での操作が困難となり、操作性が低下するという問題があった。また、リモコン等に配置された操作キー（ハードウェアキー）を操作することによりコンテンツの再生制御を行う場合、リモコン等に配置される操作キーの数は多くなる。そのため、１つの操作キーに対して２つの動作を割り当てる場合に比べて、ハードウェアのコストアップにつながるという問題があった。
【００１０】
よって、現在のコンテンツ再生装置が抱える上記の問題を解決するためには、１つの操作キーに対して２つの動作を割り当てることが要望される。しかしながら、その要望を満たすと、ＢＤ−Ｊインタラクティブタイトルのコンテンツについてキーイベントを発行して再生制御を行う場合の問題が発生してしまうというジレンマがある。
【００１１】
本発明は、このような問題を解決するために成されたものであり、１つの操作キーに対して２つの動作を割り当てたい要望を満たしつつも、コンテンツ再生装置により実行される動作がユーザの所望する動作と異なり混乱を招く場合があるという問題を解決することができるようにすることを目的とする。
【課題を解決するための手段】
【００１２】
上記した課題を解決するために、本発明では、記録媒体に記録されたコンテンツが、ユーザ操作に対応するキーイベントの発行によって再生制御が行われる方式のコンテンツであるかについて判定し、キーイベントの発行によって再生制御が行われる方式のコンテンツであると判定した場合、コンテンツを再生する場合に実行可能な第１の動作および第２の動作を２つの操作キーにそれぞれ割り当てる一方、キーイベントの発行によって再生制御が行われる方式のコンテンツでないと判定した場合、第１の動作および第２の動作を１つの操作キーに割り当てるようにしている。
【発明の効果】
【００１３】
上記のように構成した本発明によれば、記録媒体に記録されたコンテンツがキーイベントの発行によって再生制御が行われる方式のコンテンツである場合に限って、コンテンツを再生する場合に実行可能な２つの動作が２つの操作キーにそれぞれ割り当てられる。これにより、原則としては１つの操作キーに対して２つの動作をそれぞれ割り当てつつ、キーイベントを発行して再生制御を行う方式のコンテンツを再生する場合に、コンテンツ再生装置により実行される動作がユーザの所望する動作と異なり混乱を招くという問題も解決することができる。
【図面の簡単な説明】
【００１４】
【図１】第１の実施形態によるコンテンツ再生装置を備えたコンテンツ再生システムの構成例を示すブロック図である。
【図２】第１の実施形態による操作メニューの表示例を示す図である。
【図３】第１の実施形態のコンテンツ再生装置による操作キー（ソフトウェアキー）の割り当て動作例を示すフローチャートである。
【図４】第２の実施形態によるコンテンツ再生装置を備えたコンテンツ再生システムの構成例を示すブロック図である。
【図５】第２の実施形態による操作メニューの表示例を示す図である。
【図６】第２の実施形態のコンテンツ再生装置による操作キー（ハードウェアキー）の割り当て動作例を示すフローチャートである。
【発明を実施するための形態】
【００１５】
以下、本発明の一実施形態を図面に基づいて説明する。図１は、第１の実施形態によるコンテンツ再生装置１００を備えたコンテンツ再生システム１２０の構成例を示すブロック図である。図１に示すように、コンテンツ再生システム１２０は、コンテンツ再生装置１００の他に、記録媒体１４０およびディスプレイ１６０を備えて構成されている。また、ディスプレイ１６０は、表示パネル１６０ａおよびタッチパネル１６０ｂを備えている。
【００１６】
コンテンツ再生装置１００は、複数の操作キー（ソフトウェアキー）を含む操作メニューや、コンテンツ再生システム１２０のアプリケーションとして利用されるコンテンツ再生画像などを生成し、それらの表示パネル１６０ａ上での表示を制御する。その制御を行うため、コンテンツ再生装置１００は、コンテンツ判定部２００、操作キー割り当て制御部２２０、操作受付部２４０、ＵＯ発行部２６０、キーイベント発行部２８０、および動作制御部３００を備えている。
【００１７】
記録媒体１４０は、データの読み書きにレーザー光を利用する記録媒体であり、具体的にはブルーレイディスク（Ｂｌｕ−ｒａｙ  Ｄｉｓｃ：登録商標）である。記録媒体１４０には、ＨＤＭＶタイトルのコンテンツが記録されているものと、ＢＤ−Ｊタイトルのコンテンツが記録されているものとがある。ＢＤ−Ｊタイトルには、ＢＤ−ＪムービータイトルおよびＢＤ−Ｊインタラクティブタイトルが存在する。なお、記録媒体１４０には、コンテンツのタイトルの種類（ＨＤＭＶタイトル、ＢＤ−ＪムービータイトルおよびＢＤ−Ｊインタラクティブタイトルの何れか）を示すタイトル種類情報も記録されている。
【００１８】
ここで、ＨＤＭＶタイトルおよびＢＤ−Ｊムービータイトルのコンテンツは、ユーザ操作に対応するＵＯの発行によって再生制御が行われる方式のコンテンツである。ＢＤ−Ｊインタラクティブタイトルのコンテンツは、ユーザ操作に対応するキーイベントの発行によって再生制御が行われる方式のコンテンツである。コンテンツがＢＤ−Ｊインタラクティブタイトルの場合、当該コンテンツの再生制御をＪａｖａ（登録商標）言語で記述したＪａｖａアプリケーションが記録媒体１４０に記録されている。そのＪａｖａアプリケーションには、キーイベントに対するコンテンツ再生装置１００の動作が定義されている。
【００１９】
表示パネル１６０ａは、コンテンツ再生装置１００により生成された操作メニューやコンテンツ再生画像などを表示する。タッチパネル１６０ｂは、表示パネル１６０ａの前面に重ね合わされ、ユーザによるタッチ操作を検出する。
【００２０】
コンテンツ判定部２００は、記録媒体１４０に記録されているタイトル種類情報を参照することによって、記録媒体１４０に記録されたコンテンツが、ユーザ操作に対応するキーイベントの発行によって再生制御が行われる方式（すなわち、ＢＤ−Ｊインタラクティブタイトル）のコンテンツであるか否かについて判定する。コンテンツ判定部２００は、判定結果を操作キー割り当て制御部２２０に通知する。
【００２１】
操作キー割り当て制御部２２０は、ＢＤ−Ｊインタラクティブタイトルのコンテンツである旨の通知をコンテンツ判定部２００から受けた場合、コンテンツを再生する場合における再生動作（本発明の第１の動作に対応）、一時停止動作（本発明の第２の動作に対応）、停止動作、早戻し動作および早送り動作を、表示パネル１６０ａ上の操作メニューに含まれる再生キー（本発明の第１の操作キーに対応）、一時停止キー（本発明の第２の操作キーに対応）、停止キー、早戻しキーおよび早送りキーにそれぞれ割り当てる。
【００２２】
具体的には、操作キー割り当て制御部２２０は、図２（ａ）に示すように、再生キー４２０、一時停止キー４４０、停止キー４６０、早戻しキー４８０および早送りキー５００を含む操作メニュー４００を生成し表示パネル１６０ａ上に表示する。そして、操作キー割り当て制御部２２０は、これらの再生キー４２０、一時停止キー４４０、停止キー４６０、早戻しキー４８０および早送りキー５００に対して、再生を表すキーイベント（ＶＫ＿ＰＬＡＹ）、一時停止を表すキーイベント（ＶＫ＿ＰＡＵＳＥ）、停止を表すキーイベント（ＶＫ＿ＳＴＯＰ）、早戻しを表すキーイベント（ＶＫ＿ＦＡＳＴ＿ＲＥＷＩＮＤ）および早送りを表すキーイベント（ＶＫ＿ＦＡＳＴ＿ＦＷＤ）をそれぞれ割り当てる。操作キー制御部２２０は、この割り当て結果をキーイベント発行部２８０に通知する。
【００２３】
また、操作キー割り当て制御部２２０は、ＢＤ−Ｊインタラクティブタイトルのコンテンツでない旨の通知をコンテンツ判定部２００から受けた場合、コンテンツを再生する場合における再生動作、一時停止動作、停止動作、早戻し動作および早送り動作を表示パネル１６０ａ上の操作メニューに含まれる再生／一時停止キー（本発明の第３の操作キーに対応）、停止キー、早戻しキーおよび早送りキーにそれぞれ割り当てる。
【００２４】
具体的には、操作キー割り当て制御部２２０は、図２（ｂ）に示すように、再生／一時停止キー５４０、停止キー５６０、早戻しキー５８０および早送りキー６００を含む操作メニュー５２０を生成し表示パネル１６０ａ上に表示する。そして、操作キー割り当て制御部２２０は、再生／一時停止キー５４０に対して、コンテンツ非再生中であれば、再生を表すＵＯ（ＰＬＡＹ）、コンテンツ再生中であれば、一時停止を表すＵＯ（ＰＡＵＳＥ）をそれぞれ割り当てる。また、停止キー５６０、早戻しキー５８０および早送りキー６００に対して、停止を表すＵＯ（ＳＴＯＰ）、早戻しを表すＵＯ（ＦＡＳＴ＿ＲＥＷＩＮＤ）および早送りを表すＵＯ（ＦＡＳＴ＿ＦＷＤ）をそれぞれ割り当てる。操作キー割り当て制御部２２０は、この割り当て結果をＵＯ発行部２６０に通知する。
【００２５】
なお、図２（ｂ）の操作メニュー５２０に含まれる各操作キー５４０〜６００は、図２（ａ）の操作メニュー４００に含まれる各操作キー４２０〜５００に比べて大きい。これは、コンテンツを再生する場合における再生動作および一時停止動作を２つの操作キー（再生キー４２０、一時停止キー４４０）ではなく、１つの操作キー（再生／一時停止キー５４０）に割り当てたことによって、操作キー１つ分だけ、各操作キー５４０〜６００の表示領域に余裕ができたためである。
【００２６】
操作受付部２４０は、タッチパネル１８０ｂを介して、表示パネル１８０ａに表示された操作メニュー４００、５２０に含まれる各操作キー４２０〜５００、５４０〜６００のタッチ操作を受け付ける。そして、操作受付部２４０は、タッチ操作を受け付けた操作キーの位置を示す操作キー情報をＵＯ発行部２６０およびキーイベント発行部２８０に出力する。
【００２７】
ＵＯ発行部２６０は、操作キー割り当て制御部２２０から操作キーの割り当ての通知を受けている場合、操作受付部２４０から操作キー情報が出力されたとき、操作キー情報により示される操作キーに割り当てられたＵＯを動作制御部３００に出力する。例えば、ＵＯ発行部２６０は、操作キー情報により示される操作キーが表示パネル１６０ａ上に表示された操作メニュー５２０に含まれる再生／一時停止キー５４０である場合、再生／一時停止キー５４０に割り当てられたＵＯ（ＰＬＡＹ）を動作制御部３００に出力する。
【００２８】
キーイベント発行部２８０は、操作キー割り当て制御部２２０から操作キーの割り当ての通知を受けている場合、操作受付部２４０から操作キー情報が出力されたとき、操作キー情報により示される操作キーに割り当てられたキーイベントを動作制御部３００に出力する。例えば、キーイベント発行部２８０は、操作キー情報により示される操作キーが表示パネル１６０ａ上に表示された操作メニュー４００に含まれる再生キー４２０である場合、再生キー４２０に割り当てられたキーイベント（ＶＫ＿ＰＬＡＹ）を動作制御部３００に出力する。また、キーイベント発行部２８０は、操作キー情報により示される操作キーが一時停止キー４４０である場合、一時停止キー４４０に割り当てられたキーイベント（ＶＫ＿ＰＡＵＳＥ）を動作制御部３００に出力する。
【００２９】
動作制御部３００は、ＵＯ発行部２６０からＵＯが出力された場合、ＵＯに対応する動作を実行するように制御する。なお、ＵＯに対応する動作制御部３００の動作は、あらかじめコンテンツ再生装置１００の規格で規定されている。
【００３０】
例えば、ＢＤ−Ｊインタラクティブタイトルのコンテンツでないコンテンツの非再生中に、操作メニュー５２０に含まれる再生／一時停止キー５４０がタッチ操作された場合、ＵＯ発行部２６０は、ＵＯ（ＰＬＡＹ）を動作制御部３００に出力する。ＵＯ（ＰＬＡＹ）に対する動作としては、再生動作がコンテンツ再生装置１００の規格であらかじめ規定されている。そのため、動作制御部３００は、記録媒体１４０に記録されたコンテンツに基づくコンテンツ再生画像を生成し、生成したコンテンツ再生画像を表示パネル１６０ａ上に表示する。
【００３１】
その後、操作メニュー５２０に含まれる再生／一時停止キー５４０がタッチ操作された場合、ＵＯ発行部２６０は、ＵＯ（ＰＡＵＳＥ）を動作制御部３００に出力する。そのため、動作制御部３００は、再生中のコンテンツを一時停止する。
【００３２】
また、動作制御部３００は、キーイベント発行部２８０からキーイベントが出力された場合、そのキーイベントに対応する動作を実行するように制御する。キーイベントに対応する動作制御部３００の動作は、コンテンツ再生装置１００の規格で規定されておらず、記録媒体１４０に記録されているＪａｖａアプリケーション内で定義されている。そこで、動作制御部３００は、記録媒体１４０に記録されているＪａｖａアプリケーション内を参照することによって、キーイベント発行部２８０から出力されたキーイベントに対応する動作として何が定義されているかを確認し、確認した動作を実行するように制御する。
【００３３】
例えば、ＢＤ−Ｊインタラクティブタイトルのコンテンツの非再生中に、操作メニュー４００に含まれる再生キー４２０がタッチ操作された場合、キーイベント発行部２８０は、キーイベント（ＶＫ＿ＰＬＡＹ）を動作制御部３００に出力する。そして、キーイベント（ＶＫ＿ＰＬＡＹ）に対する動作として再生動作がＪａｖａアプリケーション内で定義されていた場合、動作制御部３００は、記録媒体１４０に記録されたコンテンツに基づくコンテンツ再生画像を生成し、生成したコンテンツ再生画像を表示パネル１６０ａ上に表示するように制御する。
【００３４】
その後、操作メニュー４００に含まれる一時停止キー４４０がタッチ操作された場合、キーイベント発行部２８０は、キーイベント（ＶＫ＿ＰＡＵＳＥ）を動作制御部３００に出力する。そして、キーイベント（ＶＫ＿ＰＡＵＳＥ）に対する動作として一時停止動作がＪａｖａアプリケーション内で定義されていた場合、動作制御部３００は、再生中のコンテンツを一時停止するように制御する。
【００３５】
次に、第１の実施形態のコンテンツ再生装置１００による操作キー（ソフトウェアキー）の割り当て動作について説明する。図３は、第１の本実施形態のコンテンツ再生装置１００による操作キー（ソフトウェアキー）の割り当て動作例を示すフローチャートである。図３に示すフローチャートは、コンテンツ再生装置１００が備えるディスクドライブ（図示せず）に記録媒体１４０が挿入されることにより開始する。
【００３６】
まず、コンテンツ判定部２００は、記録媒体１４０に記録されているタイトル種類情報を参照することによって、記録媒体１４０に記録されたコンテンツが、ＢＤ−Ｊインタラクティブタイトルのコンテンツであるか否かについて判定する（ステップＳ１００）。もし、ＢＤ−Ｊインタラクティブタイトルのコンテンツでないとコンテンツ判定部２００にて判定した場合（ステップＳ１００にてＮＯ）、コンテンツ判定部２００は、その旨を操作キー割り当て制御部２２０に通知する。
【００３７】
次に、操作キー割り当て制御部２２０は、ＢＤ−Ｊインタラクティブタイトルのコンテンツでない旨の通知をコンテンツ判定部２００から受けて、コンテンツを再生する場合における再生動作、一時停止動作、停止動作、早戻し動作および早送り動作を表示パネル１６０ａ上の操作メニュー５２０に含まれる再生／一時停止キー５４０、停止キー５６０、早戻しキー５８０および早送りキー６００にそれぞれ割り当てる（ステップＳ１２０）。
【００３８】
次に、操作キー割り当て制御部２２０は、図２（ｂ）に示すように、再生／一時停止キー５４０、停止キー５６０、早戻しキー５８０および早送りキー６００を含む操作メニュー５２０を生成し、表示パネル１６０ａ上に表示する（ステップＳ１４０）。ステップＳ１４０の処理が完了することによって、コンテンツ再生装置１００は図３における処理を終了する。
【００３９】
一方、ＢＤ−Ｊインタラクティブタイトルのコンテンツであるとコンテンツ判定部２００にて判定した場合（ステップＳ１００にてＹＥＳ）、コンテンツ判定部２００は、その旨を操作キー割り当て制御部２２０に通知する。次に、操作キー割り当て制御部２２０は、ＢＤ−Ｊインタラクティブタイトルのコンテンツである旨の通知をコンテンツ判定部２００から受けて、コンテンツを再生する場合における再生動作、一時停止動作、停止動作、早戻し動作および早送り動作を表示パネル１６０ａ上の操作メニュー４００に含まれる再生キー４２０、一時停止キー４４０、停止キー４６０、早戻しキー４８０および早送りキー５００にそれぞれ割り当てる（ステップＳ１６０）。
【００４０】
次に、操作キー割り当て制御部２２０は、図２（ａ）に示すように、再生キー４２０、一時停止キー４４０、停止キー４６０、早戻しキー４８０および早送りキー５００を含む操作メニュー４００を生成し、表示パネル１６０ａ上に表示する（ステップＳ１８０）。ステップＳ１８０の処理が完了することによって、コンテンツ再生装置１００は図３における処理を終了する。
【００４１】
以上詳しく説明したように、第１の実施形態では、記録媒体１４０に記録されたコンテンツがＢＤ−Ｊインタラクティブタイトルのコンテンツであるとき、再生動作および一時停止動作を再生キー４２０および一時停止キー４４０にそれぞれ割り当てる一方、ＢＤ−Ｊインタラクティブタイトルのコンテンツでないとき、再生動作および一時停止動作を再生／一時停止キー５４０に割り当てるようにしている。
【００４２】
このように構成した第１の実施形態によれば、記録媒体１４０に記録されたコンテンツがＢＤ−Ｊインタラクティブタイトルのコンテンツである場合に限って、再生動作および一時停止動作が２つの操作キー４２０、４４０に割り当てられる。これにより、原則としては１つの操作キー５４０に対して再生／一時停止という２つの動作をそれぞれ割り当てることによって操作キー５４０〜６００の大きさをそれぞれ大きくし、ユーザによる操作キー５４０〜６００の操作性を向上させつつ、ＢＤ−Ｊインタラクティブタイトルのコンテンツを再生する場合には再生キー４２０と一時停止キー４４０とによってユーザが所望する動作を混乱なく指示することができる。
【００４３】
次に、本発明の第２の実施形態を図面に基づいて説明する。図４は、第２の実施形態によるコンテンツ再生装置１００′を備えたコンテンツ再生システム１２０′の構成例を示すブロック図である。図４に示すように、コンテンツ再生システム１２０′は、コンテンツ再生装置１００′の他に、記録媒体１４０、ディスプレイ１６０′およびリモコン１８０を備えている。また、コンテンツ再生装置１００′は、その機能構成として、コンテンツ判定部２００、操作キー割り当て制御部２２０′、操作受付部２４０′、ＵＯ発行部２６０′およびキーイベント発行部２８０′、動作制御部３００および特定情報表示制御部３２０を備えている。なお、この図４において、図１に示した符号と同一の符号を付したものは同一の機能を有するものであるので、ここでは重複する説明を省略する。
【００４４】
ディスプレイ１６０′は、図１のディスプレイ１６０と異なり、タッチパネル１６０ｂを含まない普通のディスプレイである。リモコン１８０は、ユーザがコンテンツ再生装置１００に対して各種の操作（例えば、再生、一時停止、停止、早送りまたは早戻し等の操作）を行うための各種操作キー（ハードウェアキー）を備えている。
【００４５】
操作キー割り当て制御部２２０′は、ＢＤ−Ｊインタラクティブタイトルのコンテンツである旨の通知をコンテンツ判定部２００から受けた場合、コンテンツを再生する場合における再生動作、一時停止動作、停止動作、早戻し動作および早送り動作を、リモコン１８０の再生／一時停止キー（本発明の第４の操作キーに対応）、録画キー（本発明の第５の操作キーに対応）、停止キー、早戻しキーおよび早送りキーにそれぞれ割り当てる。なお、録画キーは、録画するための操作キーであり、コンテンツを再生する際には未使用の操作キーである。
【００４６】
具体的には、操作キー割り当て制御部２２０′は、リモコン１８０の再生／一時停止キー、録画キー、停止キー、早戻しキーおよび早送りキーに対して、再生を表すキーイベント（ＶＫ＿ＰＬＡＹ）、一時停止を表すキーイベント（ＶＫ＿ＰＡＵＳＥ）、停止を表すキーイベント（ＶＫ＿ＳＴＯＰ）、早戻しを表すキーイベント（ＶＫ＿ＦＡＳＴ＿ＲＥＷＩＮＤ）および早送りを表すキーイベント（ＶＫ＿ＦＡＳＴ＿ＦＷＤ）をそれぞれ割り当てる。操作キー割り当て制御部２２０′は、この割り当て結果をキーイベント発行部２８０′および特定情報表示制御部３２０に通知する。
【００４７】
特定情報表示制御部３２０は、割り当て結果の通知を操作キー制御部２２０′から受けた場合、図５に示すように、コンテンツを再生する場合における一時停止動作が割り当てられた録画キーを特定する特定情報７００をディスプレイ１６０′に表示する。これは、コンテンツを再生する場合における一時停止動作が再生／一時停止キーではなく、録画キーに割り当てられていることを、ユーザが容易に認識できるようにするためである。
【００４８】
また、操作キー割り当て制御部２２０′は、ＢＤ−Ｊインタラクティブタイトルのコンテンツでない旨の通知をコンテンツ判定部２００から受けた場合、コンテンツを再生する場合における再生／一時停止動作、停止動作、早戻し動作および早送り動作を、リモコン１８０の再生／一時停止キー（本発明の第４の操作キーに対応）、停止キー、早戻しキーおよび早送りキーにそれぞれ割り当てる。具体的には、操作キー割り当て制御部２２０′は、リモコン１８０の再生／一時停止キーに対して、コンテンツ非再生中であれば、再生を表すＵＯ（ＰＬＡＹ）、コンテンツ再生中であれば、一時停止を表すＵＯ（ＰＡＵＳＥ）をそれぞれ割り当てる。また、停止キー、早戻しキーおよび早送りキーに対して、停止を表すＵＯ（ＳＴＯＰ）、早戻しを表すＵＯ（ＦＡＳＴ＿ＲＥＷＩＮＤ）および早送りを表すＵＯ（ＦＡＳＴ＿ＦＷＤ）をそれぞれ割り当てる。
【００４９】
操作受付部２４０′は、リモコン１８０の各操作キーの押下操作を受け付ける。そして、操作受付部２４０′は、押下操作を受け付けた操作キーを示す第２操作キー情報をＵＯ発行部２６０′およびキーイベント発行部２８０′に出力する。
【００５０】
ＵＯ発行部２６０′は、操作キー割り当て制御部２２０′から操作キーの割り当ての通知を受けている場合、操作受付部２４０′から第２操作キー情報が出力されたとき、第２操作キー情報により示される操作キーに割り当てられているＵＯを動作制御部３００に出力する。例えば、ＵＯ発行部２６０′は、第２操作キー情報により示される操作キーがリモコン１８０の再生／一時停止キーである場合、再生／一時停止キーに割り当てられているＵＯ（ＰＬＡＹ）を動作制御部３００に出力する。
【００５１】
キーイベント発行部２８０′は、操作キー割り当て制御部２２０′から操作キーの割り当ての通知を受けている場合、操作受付部２４０′から第２操作キー情報が出力されたとき、第２操作キー情報により示される操作キーに割り当てられているキーイベントを動作制御部３００に出力する。例えば、キーイベント発行部２８０′は、第２操作キー情報により示される操作キーがリモコン１８０の再生／一時停止キーである場合、再生／一時停止キーに割り当てられているキーイベント（ＶＫ＿ＰＬＡＹ）を動作制御部３００に出力する。また、キーイベント発行部２８０′は、第２操作キー情報により示される操作キーがリモコン１８０の録画キーである場合、録画キーに割り当てられているキーイベント（ＶＫ＿ＰＡＵＳＥ）を動作制御部３００に出力する。
【００５２】
次に、第２の実施形態のコンテンツ再生装置１００′による操作キー（ハードウェアキー）の割り当て動作について説明する。図６は、第２の実施形態のコンテンツ再生装置１００′による操作キー（ハードウェアキー）の割り当て動作例を示すフローチャートである。図６に示すフローチャートは、コンテンツ再生装置１００′が備えるディスクドライブ（図示せず）に記録媒体１４０が挿入されることにより開始する。
【００５３】
まず、コンテンツ判定部２００は、記録媒体１４０に記録されているタイトル種類情報を参照することによって、記録媒体１４０に記録されたコンテンツが、ＢＤ−Ｊインタラクティブタイトルのコンテンツであるか否かについて判定する（ステップＳ２００）。もし、ＢＤ−Ｊインタラクティブタイトルのコンテンツでないとコンテンツ判定部２００にて判定した場合（ステップＳ２００にてＮＯ）、コンテンツ判定部２００はその旨を操作キー割り当て制御部２２０′に通知する。
【００５４】
次に、操作キー割り当て制御部２２０′は、ＢＤ−Ｊインタラクティブタイトルのコンテンツでない旨の通知をコンテンツ判定部２００から受けて、コンテンツを再生する場合における再生／一時停止動作、停止動作、早戻し動作および早送り動作を、リモコン１８０の再生／一時停止キー、停止キー、早戻しキーおよび早送りキーにそれぞれ割り当てる（ステップＳ２２０）。ステップＳ２２０の処理が完了することによって、コンテンツ再生装置１００′は図６における処理を終了する。
【００５５】
一方、ＢＤ−Ｊインタラクティブタイトルのコンテンツであるとコンテンツ判定部２００にて判定した場合（ステップＳ２００にてＹＥＳ）、コンテンツ判定部２００はその旨を操作キー割り当て制御部２２０′に通知する。次に、操作キー割り当て制御部２２０′は、ＢＤ−Ｊインタラクティブタイトルのコンテンツである旨の通知をコンテンツ判定部２００から受けて、コンテンツを再生する場合における再生動作、一時停止動作、停止動作、早戻し動作および早送り動作を、リモコン１８０の再生／一時停止キー、録画キー、停止キー、早戻しキーおよび早送りキーにそれぞれ割り当てる（ステップＳ２４０）。そして、操作キー制御部２２０′は、この割り当て結果をキーイベント発行部２８０′および特定情報表示制御部３２０に通知する。
【００５６】
次に、特定情報表示制御部３２０は、割り当て結果の通知を操作キー制御部２２０′から受けて、図５に示すように、コンテンツを再生する場合における一時停止動作が割り当てられた録画キーを特定する特定情報７００をディスプレイ１６０′に表示する（ステップＳ２６０）。ステップＳ２６０の処理が完了することによって、コンテンツ再生装置１００′は図６における処理を終了する。
【００５７】
以上詳しく説明したように、第２の実施形態では、記録媒体１４０に記録されたコンテンツがＢＤ−Ｊインタラクティブタイトルのコンテンツであるとき、再生動作および一時停止動作をリモコン１８０の再生／一時停止キーおよび録画キーにそれぞれ割り当てる一方、ＢＤ−Ｊインタラクティブタイトルのコンテンツでないとき、再生動作および一時停止動作をリモコン１８０の再生／一時停止キーに割り当てるようにしている。
【００５８】
このように構成した第２の実施形態によれば、記録媒体１４０に記録されたコンテンツがＢＤ−Ｊインタラクティブタイトルのコンテンツである場合に限って、再生動作および一時停止動作がリモコン１８０の再生／一時停止キーおよび録画キーに割り当てられる。これにより、原則としては再生／一時停止キーに対して再生／一時停止という２つの動作をそれぞれ割り当てることによってハードウェアのコストダウンをしつつ、ＢＤ−Ｊインタラクティブタイトルのコンテンツを再生する場合には再生／一時停止キーと録画キーとによってユーザが所望する動作を混乱なく指示することができる。
【００５９】
また、第２の実施形態では、記録媒体１４０に記録されたコンテンツがＢＤ−Ｊインタラクティブタイトルのコンテンツであるとき、一時停止動作が割り当てられた録画キーを特定する特定情報７００をディスプレイ１６０′に表示している。このようにすれば、コンテンツ再生装置１００の処理によって、一時停止動作が、元々一時停止動作の実行を目的としない録画キーに割り当てられても、特定情報７００を見たユーザは、一時停止動作が割り当てられたリモコン１８０の操作キーが録画キーであることを容易に把握することができる。
【００６０】
なお、上記第２の実施形態では、一時停止動作をコンテンツを再生する際に未使用の操作キーである録画キーに割り当てる例について説明したが、コンテンツを再生する際に未使用の操作キーであれば他の操作キーに割り当てても良い。
【００６１】
また、上記第１および第２の実施形態では、ＢＤ−Ｊインタラクティブタイトルのコンテンツであるか否かに応じて、１つまたは２つの操作キーに割り当てる対象の２つの動作が再生動作および一時停止動作である例について説明したが、本発明はこれに限定されない。
【００６２】
また、上記第１および第２の実施形態では、コンテンツを再生する場合に実行可能な再生動作および一時停止動作などを、操作メニュー４００，５２０に含まれる操作キーおよびリモコン１８０が備える操作キーの何れか一方に割り当てる例について説明したが、両方の操作キーに割り当てるようにしても良い。
【００６３】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６４】
１００，１００′  コンテンツ再生装置
１２０，１２０′  コンテンツ再生システム
１４０  記録媒体
１６０，１６０′  ディスプレイ
１６０ａ  表示パネル
１６０ｂ  タッチパネル
１８０  リモコン
２００  コンテンツ判定部
２２０，２２０′  操作キー割り当て制御部
２４０，２４０′  操作受付部
２６０，２６０′  ＵＯ発行部
２８０，２８０′  キーイベント発行部
３００  動作制御部
３２０  特定情報表示制御部
【図１】
2011248970.tif 000003
【図２】
2011248970.tif 000004
【図３】
2011248970.tif 000005
【図４】
2011248970.tif 000006
【図５】
2011248970.tif 000007
【図６】
2011248970.tif 000008
【手続補正書】
【提出日】平成22年6月1日(2010.6.1)
【手続補正１】
【補正対象書類名】明細書
【補正対象項目名】０００４
【補正方法】変更
【補正の内容】
【０００４】
例えば、コンテンツの非再生中に再生キーが操作された場合には、その再生キーを示すＵＯが発行される。このＵＯに対する動作としては、再生を実行する動作が規格で規定されている。そのため、コンテンツ再生装置は、ブルーレイディスクに記録されたコンテンツを再生する。また、コンテンツの再生中に再生キーが操作された場合にも、その再生キーを示すＵＯが発行されるが、コンテンツ再生中であるため、操作結果としては無効になり、コンテンツ再生がそのまま継続される。そのため、１つの操作キーを再生／一時停止キーとして、これに再生動作と一時停止動作とを割り当てることができる（例えば、特許文献１を参照）。また、これに限らず、コンテンツ再生中に行う動作（例えば、早送り動作や巻き戻し動作など）であれば、１つの操作キーに対して再生動作と併用割り当て可能である。